(57)【特許請求の範囲】
【請求項１】
被写体の複数の画像を撮影し、前記複数の画像を関連付けて記録する画像撮影装置であって、
撮影者が関連付け情報を入力する関連付け情報入力部と、
前記関連付け情報の付与を前記撮影者が指示する設定ボタンと、
画像を撮影する撮影部と、
前記撮影部が撮影することを前記撮影者が指示する撮影ボタンと、
前記撮影部の撮影条件を制御する撮影条件制御部と、
前記設定ボタンが押されながら前記撮影ボタンが押されると、関連付け撮影が指示され、前記撮影条件制御部が撮影条件を変えながら、前記撮影部が画像を連続して撮影することにより、複数の画像を得る連続撮影機能と、
前記複数の画像に同一の前記関連付け情報を付与することにより、前記複数の画像を相互に関連付ける関連付け情報設定部と、
前記複数の画像及び前記関連付け情報を記憶する記録部と
を備え、
前記撮影者によって関連付け撮影が指示されなかった場合、
前記撮影部は、画像を撮影し、
前記記録部は、前記関連付け情報を記録することなく、前記画像を記録することを特徴とする画像撮影装置。
【請求項２】
前記撮影条件制御部が制御する撮影条件が、フォーカス、絞り、及び露光の少なくとも一つに関する条件であることを特徴とする請求項１に記載の画像撮影装置。
【請求項３】
前記記録部が、感光部及び磁気記録部を有するフィルムにおける、前記感光部に前記複数の画像を記録し、前記磁気記録部に前記関連付け情報を記録することを特徴とする請求項１に記載の画像撮影装置。
【請求項４】
前記記録部が、磁気記録媒体又は半導体メモリに前記複数の画像、前記関連付け情報及び前記撮影条件を記録することを特徴とする請求項１に記載の画像撮影装置。
【請求項５】
被写体の複数の画像を撮影し、前記複数の画像を関連付けて記録する画像撮影方法であって、
関連付け情報を入力し、
前記関連付け情報の付与を撮影者が指示する設定ボタンが押されながら、画像を撮影することを前記撮影者が指示する撮影ボタンが押されると、関連付け撮影が指示され、撮影条件を変えながら、複数の画像を連続して撮影し、連続して撮影された前記複数の画像に同一の前記関連付け情報を付与して前記複数の画像を記録し、
前記撮影者によって関連付け撮影が指示されなかった場合、前記撮影ボタンによって撮影が指示されると、画像を撮影し、前記関連付け情報を記録することなく、前記画像を記録することを特徴とする画像撮影方法。
【請求項６】
前記撮影条件が、フォーカス、絞り、及び露光の少なくとも一つに関する条件であることを特徴とする請求項５に記載の画像撮影方法。
【請求項７】
感光部及び磁気記録部を有するフィルムにおいて、前記感光部に前記複数の画像を記録し、前記磁気記録部に前記関連付け情報を記録することを特徴とする請求項６に記載の画像撮影方法。
【請求項８】
磁気記録媒体又は半導体メモリに、前記複数の画像、前記関連付け情報、及び前記撮影条件を記録することを特徴とする請求項６に記載の画像撮影方法。
【発明の詳細な説明】
【０００１】
【発明の属する技術分野】
本発明は、被写体の複数の画像を撮影し、前記複数の画像を関連付けて記録する画像撮影装置及び画像撮影方法に関する。
【０００２】
【従来の技術】
工事現場において、工事の出来高を説明するために、工事の進捗ごとに工事現場の写真を撮影し、発注側に提出し、工事が正しく実施されたことを報告することが行われている。
【０００３】
工事写真では、撮影場所や撮影日、工法などを黒板に記し、この黒板を被写体の中に写し込むことが行われる。したがって黒板に記入された文字を読むためには、黒板に露出が合っていることが必要である。しかし撮影場所の被写体によっては黒板の文字は重要ではなく、被写体である崖の地層の色などが重要であることも多い。その場合には崖の地層に露出が合っていることが必要である。そこで、従来、露出などの撮影条件を変えて複数の工事写真を撮影し、現像後に最も良く撮影された写真を選択していた。
【０００４】
撮影条件を変えながら、被写体を連続撮影する方法はオートブラケッティングと呼ばれる。複数の写真を撮影して記録する発明として、以下のものがある。特開平９−１５５３０２号公報には、オートブラケッティングの指示があった場合に、露出条件を変えて複数の画像を撮影し、そのうちの一つの画像を選択して記録する電子スチルカメラが開示されている。特開平８−１４００２５号公報には、合成用画像データであることを識別するために、画像データのヘッダ部に、同一番号または撮影モード名を付加して記録するデジタルスチルカメラが開示されている。特開平７−２９５８７３号公報には、グループ設定ボタンが押された後、連続撮影された画像を一つのグループ内の画像ファイルとして関連付ける画像ファイル記録装置が開示されている。
【０００５】
【発明が解決しようとする課題】
上記のいずれの発明においても、撮影者が、撮影する複数の画像を関連付ける情報を自由に入力できないため、画像の関連付けがわかりにくいという問題を生じていた。
【０００６】
そのため、現像された写真の中から撮影条件を変えて同じ工事現場を撮影した写真を探して、その中から最適な写真を選択するという作業には、手間と時間がかかるという問題が生じていた。また、露出などの撮影条件が悪く、採用できなかった写真は無駄になるため、コストがかかるという問題も生じる。
【０００７】
そこで本発明は、上記の課題を解決するために、被写体の複数の画像を撮影し、前記複数の画像を関連付けて記録する画像撮影装置及び画像撮影方法を提供することを目的とする。この目的は特許請求の範囲における独立項に記載の特徴の組み合わせにより達成される。また従属項は本発明の更なる有利な具体例を規定する。
【０００８】
【課題を解決するための手段】
上記課題を解決するために、本発明の第１の形態においては、被写体の複数の画像を撮影し、前記複数の画像を関連付けて記録する画像撮影装置であって、撮影者が関連付け情報を入力する関連付け情報入力部と、前記関連付け情報の付与を前記撮影者が指示する設定ボタンと、画像を撮影する撮影部と、前記撮影部が撮影することを前記撮影者が指示する撮影ボタンと、前記撮影部の撮影条件を制御する撮影条件制御部と、前記設定ボタンが押されながら前記撮影ボタンが押されると、関連付け撮影が指示され、前記撮影条件制御部が撮影条件を変えながら、前記撮影部が画像を連続して撮影することにより、複数の画像を得る連続撮影機能と、前記複数の画像に同一の前記関連付け情報を付与することにより、前記複数の画像を相互に関連付ける関連付け情報設定部と、前記複数の画像及び前記関連付け情報を記憶する記録部とを備え、前記撮影者によって関連付け撮影が指示されなかった場合、前記撮影部は、画像を撮影し、前記記録部は、前記関連付け情報を記録することなく、前記画像を記録する。
【０００９】
関連付け情報設定部は、複数の画像に対して、同一の関連付け情報を付与することにより、複数の画像を相互に関連付ける機能を有してもよい。
【００１０】
撮影部の撮影条件を制御する撮影条件制御部と、関連付け撮影指示部が、画像に関連付け情報を付与することを指示した場合に、撮影条件制御部が撮影条件を変えながら、撮影部が画像を連続して撮影することにより、複数の画像を得る連続撮影機能とをさらに備えてもよい。
【００１１】
撮影条件制御部が制御する撮影条件が、フォーカス、絞り、及び露光の少なくとも一つに関する条件であってもよい。
【００１２】
関連付け情報入力部は、関連付け情報を文字列で入力し、関連付け情報入力部が関連付け情報の変更を指示した場合に、関連付け情報の文字列中の一部の文字を自動的に更新してもよい。
【００１３】
記録部が、感光部及び磁気記録部を有するフィルムにおける、感光部に画像を記録し、磁気記録部に関連付け情報を記録してもよい。
【００１４】
記録部が、磁気記録媒体又は半導体メモリに画像、関連付け情報及び撮影条件を記録してもよい。
【００１５】
本発明の第２の実施形態においては、被写体の複数の画像を撮影し、前記複数の画像を関連付けて記録する画像撮影方法であって、関連付け情報を入力し、前記関連付け情報の付与を撮影者が指示する設定ボタンが押されながら、画像を撮影することを前記撮影者が指示する撮影ボタンが押されると、関連付け撮影が指示され、撮影条件を変えながら、複数の画像を連続して撮影し、連続して撮影された前記複数の画像に同一の前記関連付け情報を付与して前記複数の画像を記録し、前記撮影者によって関連付け撮影が指示されなかった場合、前記撮影ボタンによって撮影が指示されると、画像を撮影し、前記関連付け情報を記録することなく、前記画像を記録する。
【００１６】
撮影条件が、フォーカス、絞り、及び露光の少なくとも一つに関する条件であってもよい。
【００１７】
感光部及び磁気記録部を有するフィルムにおける、感光部に画像を記録し、磁気記録部に関連付け情報を記録してもよい。
【００１８】
磁気記録媒体又は半導体メモリに画像、関連付け情報及び撮影条件を記録してもよい。
【００１９】
なお上記の発明の概要は、本発明の必要な特徴の全てを列挙したものではなく、これらの特徴群のサブコンビネーションも又発明となりうる。
【００２０】
【発明の実施の形態】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２１】
（実施形態１）
図１は、本発明の第１の実施形態に係る画像撮影装置の一例としてのＡＰＳカメラ１０の構成図である。ＡＰＳカメラ１０は、レンズ１２と、絞り１４と、シャッター１６と、ＡＰＳフィルム１８と、磁気ヘッド２０と、関連付け情報入力部３０と、関連付け情報表示部３２と、関連付け情報設定部３４と、撮影条件制御部３６と、関連付け撮影指示部３８と、撮影ボタン４０とを有する。
【００２２】
レンズ１２、絞り１４、及びシャッター１６は撮影部の一例である。レンズ１２はフォーカスを調整して被写体を結像し、絞り１４は絞り量を調整し、シャッター１６は露光時間を調整する。ＡＰＳフィルム１８は、感光部及び磁気記録部を有するＡＰＳ（Advanced Photo System）フイルムの装着部であり、記録部の一例である。ＡＰＳフィルム１８の感光部にはレンズ１２が結像した被写体の画像が撮像される。
【００２３】
関連付け情報入力部３０は、撮影者が指定する関連付け情報を入力する。関連付け情報表示部３２は、関連付け情報入力部３０が入力する関連付け情報を表示する。
【００２４】
関連付け撮影指示部３８は、関連付け情報入力部３０が入力した関連付け情報を撮影した画像に付与することにより、関連付け撮影を行うことを指示する。
【００２５】
撮影ボタン４０は、画像を撮影することを指示する。撮影条件制御部３６は、レンズ１２のフォーカス、絞り１４の絞り量、及びシャッター１６のシャッター速度とを制御することにより、画像の撮影条件を調整する。ここで、シャッター１６のシャッター速度を制御すると、露光時間が調整される。
【００２６】
撮影ボタン４０が撮影を指示し、関連付け撮影指示部３８が、関連付け情報の付与を指示した場合、撮影条件制御部３６が撮影条件を変えながら、画像を連続して撮影する。関連付け情報設定部３４は、連続して撮影された画像に同一の関連付け情報を付与する。撮影された画像はＡＰＳフィルム１８の感光部に記録され、関連付け情報は、磁気ヘッド２０によってＡＰＳフィルム１８の磁気記録部に記録される。
【００２７】
図２は、ＡＰＳカメラ１０の背面図である。ＡＰＳカメラ１０の背面は、撮影ボタン４０と、ファインダー４２と、表示部４４と、モード選択ボタン４６と、送りボタン４８と、設定ボタン５０を有する。
【００２８】
ファインダー４２からは、撮影者が撮影対象の被写体を見ることができる。モード選択ボタン４６、送りボタン４８、及び設定ボタン５０は、関連付け情報入力部３０及び関連付け撮影指示部３８の一例であり、関連付け情報を入力し、関連付け撮影を指示する。
【００２９】
表示部４４は、関連付け情報表示部３２の一例であり、モード選択ボタン４６、送りボタン４８、及び設定ボタン５０によって入力される関連付け情報を表示する。表示部４４は、たとえば液晶画面であってもよい。
【００３０】
撮影者がモード選択ボタン４６を押すと関連付け情報設定モードになる。関連付け情報設定モードになると表示部４４の最左桁が点滅表示する。この状態で設定ボタン５０を押すと最左桁の表示文字は０から順に１，２、３、と繰り上がり、９になると、次にアルファベットのＡからＺまで順に繰り上がり、それ以降は０に戻る。
【００３１】
送りボタン４８を押すと点滅表示が右に１桁移動する。この状態で設定ボタン５０を押すと表示文字は順に繰り上がる。さらに送りボタン４８を押すと点滅表示はさらに右に１桁移動し、所要桁移動すると再び最左桁に戻る。撮影者は所望の関連付け情報を設定したのちモード選択ボタン４６を押すと、関連付情報設定モードを終了し、点滅表示は通常の点灯表示になる。図２の例では、ＫＯＵＪＩ１という文字が関連付け情報として設定されている。このように撮影者は、たとえば撮影項目を表す情報を関連付け情報として文字列で設定することができる。
【００３２】
この状態で設定ボタン５０を押しながら撮影ボタン４０を押すと、撮影条件を変えながら、連続して画像が撮影され、撮影された画像に同一の関連付け情報が付与されて記録される。
【００３３】
上記では、撮影条件を自動的に変えながら、連続撮影することにより、関連付け撮影がなされる場合を説明したが、実施の形態はこれに限られない。たとえば、撮影者が撮影条件を手動で調整して、複数の画像を撮影し、同一の関連付け情報を付与することにより、関連付け撮影を行ってもよい。また、撮影者がカメラの向きを変えたり、撮影場所を変えて、複数の画像を撮影し、同一の関連付け情報を付与することにより、関連付け撮影を行ってもよい。いずれの場合でも、撮影者は、設定ボタン５０を押しながら撮影ボタン４０を押すことにより、撮影した画像に同一の関連付け情報を付与させることができる。
【００３４】
図３は、ＡＰＳフィルム１８の磁気記録部に記録される関連付け情報を含む画像情報の一例である。画像情報は、画像ファイル名、関連付け情報、撮影日を有する。この例では、「画像ファイル名＝ＩＭ１００００１、関連付け情報＝ＫＯＵＪＩ１、撮影日＝1999年6月10日」などが画像情報であり、同一の関連付け情報ＫＯＵＪＩ１に対応づけられた、画像ファイル名がＩＭ１００００１、ＩＭ１００００２、ＩＭ１００００３、及びＩＭ１００００４の画像は、撮影条件を変えながら関連付け撮影された画像である。関連付け情報が付与されていない、画像ファイル名がＩＭ１００００７及びＩＭ１００００８の画像は、関連付け撮影されていない。
【００３５】
設定ボタン５０を押しながら撮影ボタン４０を押すと、関連付け撮影が行われるが、関連付け撮影の後に、別の関連付け情報を用いて新たな関連付け撮影をする場合は、送りボタン４８を押しながら設定ボタン５０を押すことにより、関連付け情報の文字列の一部を自動的に更新することができる。図３の例において、関連付け情報がＫＯＵＪＩ１であるときの関連付け撮影が終了した後、送りボタン４８を押しながら設定ボタン５０を押した場合、関連付け情報はたとえばＫＯＵＪＩ２に自動更新される。
【００３６】
特に工事写真の場合、多数の撮影項目について、複数の写真を撮るため、関連付け情報が、新たな関連付け撮影を始める度に、自動的に更新されると、撮影者が関連付け情報を入力する手間を省くことができる。
【００３７】
図４は、ＡＰＳフィルム１８の模式図である。ＡＰＳフィルム１８は、磁気記録部６２ａ、ｂ、ｃ、ｄ（以下これらをまとめて６２とする）及び感光部６４ａ、ｂ、ｃ（以下これらをまとめて６４とする）を有する。ＡＰＳカメラ１０が撮影した画像はＡＰＳフィルム１８の感光部６４に撮像され、記録される。一方、関連付け情報設定部３４が設定する関連付け情報は、ＡＰＳフィルム１８の磁気記録部６２に記録される。たとえば、図３に示した、画像ファイル名がＩＭ１００００１である画像は、感光部６４ａに撮像され、「画像ファイル名＝ＩＭ１００００１、関連付け情報＝ＫＯＵＪＩ１、撮影日＝1999年6月10日」という関連付け情報を含む画像情報は、磁気記録部６２ａに記録される。同様に、画像ファイル名がＩＭ１００００２である画像は感光部６４ｂに、関連付け情報を含む画像情報「画像ファイル名＝ＩＭ１００００２、関連付け情報＝ＫＯＵＪＩ１、撮影日＝1999年6月10日」は磁気記録部６２ｂに記録される。
【００３８】
このように関連付け情報を含む画像情報を撮影された画像とともに記録することにより、現像された写真のうち、関連付けられた画像を容易に識別することができる。ＡＰＳフィルムを現像する際、現像写真の下あるいは裏に、関連付け情報を付けることにより、関連付けられた写真を容易に識別できる。図３の例では、たとえば関連付け情報ＫＯＵＪＩ１が付与された写真が互いに関連づけられる。
【００３９】
関連付け情報を含む画像情報を、撮影される画像毎に区切られた磁気記録部６２ａ、ｂ、ｃに記録する例を説明したが、関連付け情報を含む画像情報は、感光部６４の上部にある磁気記録部６２ｄにまとめて記録してもよい。
【００４０】
本実施形態の画像撮影装置によれば、撮影者が関連付け情報を文字列で入力し、関連付け撮影を指示することにより、露光時間等の撮影条件を変えながら、複数の画像を連続して撮影し、撮影された画像に関連付け情報を付与して記録することができる。したがって、ＡＰＳフィルムを現像するラボシステムのオペレータ、またはＡＰＳフィルムを読み取る装置を有するコンピュータのユーザは、ＡＰＳフィルムの画像ファイルの内、どれが関連付けられているかを容易に識別することができ、関連付けられた画像データをディスプレイに表示して、所望の画像を選択することができる。ラボシステムのオペレータまたはコンピュータのユーザは、選択した所望の画像をＣＤ−ＲＯＭに格納したり、プリンタで印刷することができる。
【００４１】
また、本実施形態の画像撮影装置によれば、撮影者が入力した関連付け情報を、関連付け撮影の度に自動的に更新することができる。したがって、工事写真のように多数の撮影項目について、それぞれ複数の写真を撮影する場合に、関連付け情報を入力する手間を省くことができる。
【００４２】
（実施形態２）
図５は、本発明の第２の実施形態に係る画像撮影装置の一例としてのデジタルカメラ１１の構成図である。デジタルカメラ１１は、レンズ１２と、絞り１４と、シャッター１６と、ＣＣＤ２２と、フレームメモリ２４と、記録媒体２６と、関連付け情報入力部３０と、関連付け情報表示部３２と、関連付け情報設定部３４と、撮影条件制御部３６と、関連付け撮影指示部３８と、撮影ボタン４０とを有する。
【００４３】
図１に示した第１の実施形態と同一符号を付した構成要素については、同一の動作をするので、説明を省略し、第１の実施形態とは異なる部分についてのみ説明する。
【００４４】
デジタルカメラ１１は、第１の実施形態のＡＰＳカメラ１０とは違い、レンズ１２は、被写体の画像をＣＣＤ(Charged Coupled Device)２２に結像し、結像された画像データは、フレームメモリ２４にバッファされた後、記録媒体２６に記録される。
【００４５】
記録媒体２６は、記録部の一例であり、フロッピーディスク、ミニディスク等の磁気記録媒体、またはフラッシュメモリ、ＲＡＭ等の半導体メモリが装着される。
【００４６】
本実施形態では、関連付け情報設定部３４が設定する関連付け情報は、撮影された画像データとともに、記録媒体２６に記録される。
【００４７】
図６は、記録媒体２６に記録される画像データのフォーマットの一例である。画像データは、ヘッダ部とデータ部を有し、ヘッダ部には圧縮フォーマットの名称等の圧縮情報、ファイル名、ファイルサイズ等の情報の他、タグ情報を設定することができる。タグ情報に関連付け情報を含む画像情報、及び絞り量、露光時間などの撮影条件を記録することができる。データ部には画像の圧縮データを記録する。
【００４８】
記録媒体２６に格納された画像データ及び関連付け情報を含む画像情報は、デジタルラボシステムまたは記録媒体からデータを読み込むための読取装置を有するコンピュータによって、読み出し、ＣＤ−ＲＯＭなどの記録媒体に記録することができる。
【００４９】
本実施形態の画像撮影装置によれば、画像データとともに関連付け情報及び撮影条件を磁気記録媒体又は半導体メモリに記録することができる。したがって、ラボシステムのオペレータ、または磁気記録媒体又は半導体メモリを読み取る装置を有するコンピュータのユーザは、関連付けられた画像データが、どのような撮影条件で撮影されたものであるかを容易に識別することができ、関連付けられた画像データをディスプレイに表示して、所望の画像を選択することができる。
【００５０】
図７は、画像撮影方法のフローチャートである。本図は、第１及び第２の実施形態の画像撮影装置における画像撮影方法を示す。
【００５１】
撮影者は撮影を撮影を開始するかどうか決める（Ｓ２００）。撮影者は関連付け情報入力部３０によって、関連付け情報を入力する（Ｓ２０２）。撮影者は関連付け撮影指示部３８によって、関連付け撮影を指示するかどうかを決める（Ｓ２０４）。関連付け撮影を指示した場合、撮影者は撮影ボタン４０によって画像の撮影を指示するかどうか決める（Ｓ２０６）。画像の撮影が指示されない場合は、Ｓ２００の処理に戻る。画像の撮影が指示された場合、フォーカス、絞り、露光時間等の撮影条件を変化させる（Ｓ２０８）。画像を撮影し（Ｓ２１０）、関連付け情報設定部３４が関連付け情報を画像に付与する（Ｓ２１２）。ＡＰＳフィルム１８又は記録媒体２６は、撮影された画像及び関連付け情報を記録する（Ｓ２１４）。記録媒体２６は、同時に撮影条件を記録してもよい。
【００５２】
Ｓ２０４の処理において、撮影者が関連付け撮影指示部３８によって、関連付け撮影を指示しなかった場合、Ｓ２１６の処理に進み、撮影者は撮影ボタン４０によって画像の撮影を指示するかどうか決める。撮影ボタン４０によって画像の撮影を指示しない場合は、Ｓ２００の処理に戻る。撮影ボタン４０によって撮影が指示された場合、画像を撮影し（Ｓ２１８）、画像を記録する（Ｓ２２０）。このとき、関連付け情報は記録されない。
【００５３】
以上述べたように、第１の実施形態の画像撮影装置によれば、撮影者が関連付け情報を文字列で入力し、関連付け撮影を指示することにより、露光時間等の撮影条件を変えながら、複数の画像を連続して撮影し、撮影された画像に関連付け情報を付与して記録することができる。したがって、ＡＰＳフィルムを現像するラボシステムのオペレータ、またはＡＰＳフィルムを読み取る装置を有するコンピュータのユーザは、ＡＰＳフィルムの画像データの内、どれが関連付けられているかを容易に識別することができ、関連付けられた画像データをディスプレイに表示して、所望の画像を選択することができる。
【００５４】
また、本実施形態の画像撮影装置によれば、撮影者が入力した関連付け情報を、関連付け撮影の度に自動的に更新することができる。したがって、工事写真のように多数の撮影項目について、それぞれ複数の写真を撮影する場合に、関連付け情報を入力する手間を省くことができる。
【００５５】
第２の実施形態の画像撮影装置によれば、画像データとともに関連付け情報及び撮影条件を磁気記録媒体又は半導体メモリに記録することができる。したがって、ラボシステムのオペレータ、または磁気記録媒体又は半導体メモリを読み取る装置を有するコンピュータのユーザは、関連付けられた画像データが、どのような撮影条件で撮影されたものであるかを容易に識別することができ、関連付けられた画像データをディスプレイに表示して、所望の画像を選択することができる。
【００５６】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【００５７】
【発明の効果】
上記説明から明らかなように、本発明によれば、被写体の複数の画像を撮影し、前記複数の画像を関連付けて記録することができる。
【図面の簡単な説明】
【図１】  本発明の第１の実施形態に係る画像撮影装置の一例としてのＡＰＳカメラ１０の構成図である。
【図２】  ＡＰＳカメラ１０の背面図である。
【図３】  関連付け情報を含む画像情報の一例である。
【図４】  ＡＰＳフィルム１８の模式図である。
【図５】  本発明の第２の実施形態に係る画像撮影装置の一例としてのデジタルカメラ１１の構成図である。
【図６】  記録媒体２６に記録される画像データのフォーマットの一例である。
【図７】  画像撮影方法のフローチャートである。
【符号の説明】
ＡＰＳカメラ１０                    デジタルカメラ１１
レンズ１２                          絞り１４
シャッター１６                      ＡＰＳフィルム１８
磁気ヘッド２０                      ＣＣＤ２２
フレームメモリ２４                  記録媒体２６
関連付け情報入力部３０              関連付け情報表示部３２
関連付け情報設定部３４              関連付け撮影指示部３８
撮影条件制御部３６                  撮影ボタン４０
ファインダー４２                    表示部４４
モード選択ボタン４６                送りボタン４８
設定ボタン５０                      磁気記録部６２
感光部６４
【図１】
0004444406.tif 000002
【図２】
0004444406.tif 000003
【図３】
0004444406.tif 000004
【図４】
0004444406.tif 000005
【図５】
0004444406.tif 000006
【図６】
0004444406.tif 000007
【図７】
0004444406.tif 000008